【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
１対の電極を有する放電灯と、
前記１対の電極に駆動電流を供給する駆動装置と、
前記１対の電極の電極間電圧を検出する電圧検出手段と、
時間を計測する時間計測手段と、を有し、
前記駆動装置は、周波数が１ｋＨｚよりも大きい第１の交流電流を前記１対の電極に供給する第１の交流電流供給区間と、周波数が１ｋＨｚ以下の第２の交流電流を前記１対の電極に供給する第２の交流電流供給区間とを交互に繰り返し、
前記駆動装置は、前記電圧検出手段によって検出された前記１対の電極の電極間電圧の絶対値が上限値Ｖ１に到達した場合、前記第１の交流電流供給区間から前記第２の交流電流供給区間に変更し、前記電圧検出手段によって検出された前記１対の電極の電極間電圧の絶対値が下限値Ｖ２に到達する、または前記時間計測手段によって計測された前記第２の交流電流供給区間の期間が所定の期間Ｔに到達した場合、前記第２の交流電流供給区間から前記第１の交流電流供給区間に変更することを特徴とする光源装置。
【請求項２】
前記駆動装置は、前記第２の交流電流供給区間の期間が前記期間Ｔに到達して前記第２の交流電流供給区間から前記第１の交流電流供給区間に変更する場合、前記上限値Ｖ１を初期値よりも大きい値に変更する請求項１に記載の光源装置。
【請求項３】
前記駆動装置は、前記第２の交流電流供給区間の期間が前記期間Ｔに到達したときの前記１対の電極の電極間電圧の絶対値をＶ３とした場合、前記上限値Ｖ１を、前記初期値よりも下記（１）式で示される増加量ΔＶだけ大きい値に変更する請求項２に記載の光源装置。
ΔＶ＝ａ・（Ｖ３−Ｖ２）  ・・・（１）
但し、０．１≦ａ≦１
【請求項４】
前記駆動装置は、前記１対の電極の電極間電圧の絶対値が前記下限値Ｖ２に到達して前記第２の交流電流供給区間から前記第１の交流電流供給区間に変更する場合、且つ前記上限値Ｖ１が前記初期値から変更されている場合、前記上限値Ｖ１を前記初期値に戻す請求項２または３に記載の光源装置。
【請求項５】
前記下限値Ｖ２は、前記放電灯の点灯後、前記１対の電極に供給する電力が定格電力に達するときの前記１対の電極の電極間電圧の絶対値である請求項１ないし４のいずれかに記載の光源装置。
【請求項６】
前記上限値Ｖ１と前記下限値Ｖ２との差は、１５Ｖ以下である請求項１ないし５のいずれかに記載の光源装置。
【請求項７】
前記駆動装置は、前記第１の交流電流供給区間においては、前記第１の交流電流の振幅を経時的に減少させる請求項１ないし６のいずれかに記載の光源装置。
【請求項８】
前記駆動装置は、前記第２の交流電流供給区間においては、前記第２の交流電流の振幅を経時的に増大させる請求項１ないし７のいずれかに記載の光源装置。
【請求項９】
前記第１の交流電流の波形は、矩形状をなしている請求項１ないし８のいずれかに記載の光源装置。
【請求項１０】
前記第２の交流電流の波形は、矩形状をなしている請求項１ないし９のいずれかに記載の光源装置。
【請求項１１】
前記第１の交流電流を供給することにより、前記放電灯の黒化を抑制する請求項１ないし１０のいずれかに記載の光源装置。
【請求項１２】
前記第２の交流電流を供給することにより、前記１対の電極の電極間距離を減少させる請求項１ないし１１のいずれかに記載の光源装置。
【請求項１３】
前記第１の交流電流供給区間での前記第１の交流電流の振幅の平均値と、前記第２の交流電流供給区間での前記第２の交流電流の振幅の平均値とは、同じである請求項１ないし１２のいずれかに記載の光源装置。
【請求項１４】
１対の電極を有する放電灯の駆動方法であって、
周波数が１ｋＨｚよりも大きい第１の交流電流を前記１対の電極に供給する第１の交流電流供給区間と、周波数が１ｋＨｚ以下の第２の交流電流を前記１対の電極に供給する第２の交流電流供給区間とを交互に繰り返し、
前記１対の電極の電極間電圧の絶対値が上限値Ｖ１に到達した場合、前記第１の交流電流供給区間から前記第２の交流電流供給区間に変更し、
前記１対の電極の電極間電圧の絶対値が下限値Ｖ２に到達する、または前記第２の交流電流供給区間の期間が所定の期間Ｔに到達した場合、前記第２の交流電流供給区間から前記第１の交流電流供給区間に変更することを特徴とする放電灯の駆動方法。
【請求項１５】
請求項１ないし１３のいずれかに記載の光源装置と、
前記光源装置から出射した光を画像情報に基づいて変調する変調装置と、
前記変調装置により変調された光を投射する投射装置と、を備えたことを特徴とするプロジェクター。
【手続補正２】
【補正対象書類名】明細書
【補正対象項目名】０００８
【補正方法】変更
【補正の内容】
【０００８】
このような目的は、下記の本発明により達成される。
本発明の光源装置は、１対の電極を有する放電灯と、
前記１対の電極に駆動電流を供給する駆動装置と、
前記１対の電極の電極間電圧を検出する電圧検出手段と、
時間を計測する時間計測手段と、を有し、
前記駆動装置は、周波数が１ｋＨｚよりも大きい第１の交流電流を前記１対の電極に供給する第１の交流電流供給区間と、周波数が１ｋＨｚ以下の第２の交流電流を前記１対の電極に供給する第２の交流電流供給区間とを交互に繰り返し、
前記駆動装置は、前記電圧検出手段によって検出された前記１対の電極の電極間電圧の絶対値が上限値Ｖ１に到達した場合、前記第１の交流電流供給区間から前記第２の交流電流供給区間に変更し、前記電圧検出手段によって検出された前記１対の電極の電極間電圧の絶対値が下限値Ｖ２に到達する、または前記時間計測手段によって計測された前記第２の交流電流供給区間の期間が所定の期間Ｔに到達した場合、前記第２の交流電流供給区間から前記第１の交流電流供給区間に変更することを特徴とする。
【手続補正３】
【補正対象書類名】明細書
【補正対象項目名】００１０
【補正方法】変更
【補正の内容】
【００１０】
そして、下記のように、１対の電極の電極間電圧の絶対値が下限値Ｖ２に到達せずに第２の交流電流供給区間から第１の交流電流供給区間に変更する場合は、上限値Ｖ１をその初期値よりも増加量ΔＶだけ大きい値に変更するので、早期に上限値Ｖ１と第２の交流電流供給区間から第１の交流電流供給区間に切り換るときの１対の電極の電極間電圧の絶対値Ｖ３とが一致または接近しすぎて放電灯が駆動不能となってしまうことを防止することができ、光源装置の寿命を長くすることができる。
【手続補正４】
【補正対象書類名】明細書
【補正対象項目名】００１１
【補正方法】変更
【補正の内容】
【００１１】
本発明の光源装置では、前記駆動装置は、前記第２の交流電流供給区間の期間が前記期間Ｔに到達して前記第２の交流電流供給区間から前記第１の交流電流供給区間に変更する場合、前記上限値Ｖ１を初期値よりも大きい値に変更することが好ましい。
本発明の光源装置では、前記駆動装置は、前記第２の交流電流供給区間の期間が前記期間Ｔに到達したときの前記１対の電極の電極間電圧の絶対値をＶ３とした場合、前記上限値Ｖ１を、前記初期値よりも下記（１）式で示される増加量ΔＶだけ大きい値に変更することが好ましい。
ΔＶ＝ａ・（Ｖ３−Ｖ２）  ・・・（１）
但し、０．１≦ａ≦１
本発明の光源装置では、前記駆動装置は、前記１対の電極の電極間電圧の絶対値が前記下限値Ｖ２に到達して前記第２の交流電流供給区間から前記第１の交流電流供給区間に変更する場合、且つ前記上限値Ｖ１が前記初期値から変更されている場合、前記上限値Ｖ１を前記初期値に戻すことが好ましい。
これにより、光量の変動を抑制することができる。
【手続補正５】
【補正対象書類名】明細書
【補正対象項目名】００１３
【補正方法】変更
【補正の内容】
【００１３】
本発明の光源装置では、前記駆動装置は、前記第１の交流電流供給区間においては、前記第１の交流電流の振幅を経時的に減少させることが好ましい。
これにより、光量の変動を抑制することができる。
本発明の光源装置では、前記駆動装置は、前記第２の交流電流供給区間においては、前記第２の交流電流の振幅を経時的に増大させることが好ましい。
これにより、光量の変動を抑制することができる。
【手続補正６】
【補正対象書類名】明細書
【補正対象項目名】００１７
【補正方法】変更
【補正の内容】
【００１７】
本発明の放電灯の駆動方法は、１対の電極を有する放電灯の駆動方法であって、
周波数が１ｋＨｚよりも大きい第１の交流電流を前記１対の電極に供給する第１の交流電流供給区間と、周波数が１ｋＨｚ以下の第２の交流電流を前記１対の電極に供給する第２の交流電流供給区間とを交互に繰り返し、
前記１対の電極の電極間電圧の絶対値が上限値Ｖ１に到達した場合、前記第１の交流電流供給区間から前記第２の交流電流供給区間に変更し、
前記１対の電極の電極間電圧の絶対値が下限値Ｖ２に到達する、または前記第２の交流電流供給区間の期間が所定の期間Ｔに到達した場合、前記第２の交流電流供給区間から前記第１の交流電流供給区間に変更することを特徴とする。
本発明の放電灯の駆動方法は、放電媒質が封入された空洞部を含む発光容器、端部が前記空洞部内で対向して配置される１対の電極、を有する放電灯の駆動方法であって、
周波数が１ｋＨｚよりも大きい第１の交流電流を前記１対の電極に供給する第１の交流電流供給区間と、周波数が１ｋＨｚ以下の第２の交流電流を前記１対の電極に供給する第２の交流電流供給区間とを交互に繰り返してなり、前記１対の電極の電極間電圧の絶対値が上限値Ｖ１に到達すると、前記第１の交流電流供給区間から前記第２の交流電流供給区間に変更され、前記１対の電極の電極間電圧の絶対値が下限値Ｖ２に到達するか、または前記第２の交流電流供給区間の期間が所定の期間Ｔに到達すると、前記第２の交流電流供給区間から前記第１の交流電流供給区間に変更され、前記第２の交流電流供給区間の期間が前記期間Ｔに到達して前記第２の交流電流供給区間から前記第１の交流電流供給区間に変更する場合は、前記第２の交流電流供給区間の期間が前記期間Ｔに到達したときの前記１対の電極の電極間電圧の絶対値をＶ３としたとき、前記上限値Ｖ１が該上限値Ｖ１の初期値よりも下記（１）式で示される増加量ΔＶだけ大きい値に変更されるよう構成された駆動電流を生成し、
前記駆動電流を前記１対の電極に供給することを特徴とする。
ΔＶ＝ａ・（Ｖ３−Ｖ２）  ・・・（１）
但し、０．１≦ａ≦１
【手続補正７】
【補正対象書類名】明細書
【補正対象項目名】００１９
【補正方法】変更
【補正の内容】
【００１９】
本発明のプロジェクターは、上記本発明の光源装置と、
前記光源装置から出射した光を画像情報に基づいて変調する変調装置と、
前記変調装置により変調された光を投射する投射装置と、を備えたことを特徴とする。
これにより、放電灯の黒化を抑制し、１対の電極の電極間距離を許容範囲内の距離に保持し、放電灯を駆動することができ、これによって、消費電力を低減でき、また、安定した良好な画像を表示することができる。
そして、１対の電極の電極間電圧の絶対値が下限値Ｖ２に到達せずに第２の交流電流供給区間から第１の交流電流供給区間に変更する場合は、上限値Ｖ１をその初期値よりも増加量ΔＶだけ大きい値に変更するので、早期に上限値Ｖ１と第２の交流電流供給区間から第１の交流電流供給区間に切り換るときの１対の電極の電極間電圧の絶対値Ｖ３とが一致または接近しすぎて放電灯が駆動不能となってしまうことを防止することができ、光源装置の寿命を長くすることができる。
【手続補正８】
【補正対象書類名】図面
【補正対象項目名】図６
【補正方法】変更
【補正の内容】
【図６】
2013164999.tif 000001